(57)【特許請求の範囲】
【請求項１】
空調装置によって空調される空調室内に配置され、電子機器を収容する複数のラックが配列された第１ラック列と、
前記第１ラック列の長手方向に沿って前記第１ラック列に対向して配置された第２ラック列、または前記第１ラック列の長手方向に沿って前記第１ラック列に対向して設けられた前記空調室の側壁と、
前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、鉛直方向に突出する形状を有し、前記遮蔽部材が係合される係合部材と、を備え、
前記遮蔽部材は、外周部から切り欠かれた切り欠き部を有し、前記遮蔽部材が動かされて、該切り欠き部に、前記ラックまたは前記側壁に設けられた前記係合部材が係合されることによって、前記ラックまたは前記側壁に対して所定の位置に案内されて配置される、空調システム。
【請求項２】
前記遮蔽部材の前記切り欠き部は、前記切り欠き部内に突出し、前記切り欠き部に係合された前記係合部材が鉛直方向に交差する方向に移動することを規制する規制突起を有する、請求項１に記載の空調システム。
【請求項３】
前記遮蔽部材は、組み合わされて前記対向空間に掛け渡される一対の遮蔽体を有し、
前記一対の遮蔽体の各々は、分離可能であり、組み合わされて、一端部が前記係合部材に係合されると共に、他端部が前記対向空間の上方で互いに係合された状態が自重で保たれる、請求項１に記載の空調システム。
【請求項４】
前記遮蔽部材は、３つの辺又は４つの辺の各辺に前記切り欠き部が１つ以上形成されている、請求項１に記載の空調システム。
【請求項５】
前記第１ラック列の長手方向の両端に該長手方向に交差して配置され、前記対向空間の内部と外部とを隔てる他の遮蔽部材を備え、
前記他の遮蔽部材は、前記遮蔽部材に着脱可能に設けられている、請求項１ないし４のいずれか１項に記載の空調システム。
【請求項６】
空調装置によって空調される空調室内に配置され、電子機器を収容する複数のラックが配列された第１ラック列と、
前記第１ラック列の長手方向に沿って前記第１ラック列に対向して配置された第２ラック列、または前記第１ラック列の長手方向に沿って前記第１ラック列に対向して設けられた前記空調室の側壁と、
前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、前記遮蔽部材が係合される係合部材と、を備え、
前記係合部材は、鉛直方向に突出する係合部と、前記鉛直方向に交差する方向に延びる位置規制部と、を有し、
前記遮蔽部材は、外周部から切り欠かれた切り欠き部を有し、前記ラックに対して、前記鉛直方向に交差する面内で回転させることによって、前記切り欠き部に前記係合部材の前記係合部が係合される、空調システム。
【請求項７】
空調装置によって空調される空調室内に配置され、電子機器を収容する複数のラックが配列された第１ラック列と、
前記第１ラック列の長手方向に沿って前記第１ラック列に対向して配置された第２ラック列、または前記第１ラック列の長手方向に沿って前記第１ラック列に対向して設けられた前記空調室の側壁と、
前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、前記遮蔽部材がアダプタ部材を介して係合される係合部材と、を備え、
前記遮蔽部材は、外周部から切り欠かれた切り欠き部を有し、該切り欠き部に、前記係合部材を覆うように取り付けられた前記アダプタ部材が係合されることによって、前記ラックまたは前記側壁に対して所定の位置に案内されて配置される、空調システム。
【請求項８】
空調装置によって空調される空調室内に配置されて電子機器を収容する複数のラックが配列された第１ラック列と、前記第１ラック列の長手方向に沿って前記第１ラック列に対向して配置された第２ラック列、または前記第１ラック列の長手方向に沿って前記第１ラック列に対向して設けられた前記空調室の側壁と、前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、鉛直方向に突出する形状を有し、前記遮蔽部材が係合される係合部材と、を備え、
前記遮蔽部材は、外周部から切り欠かれた切り欠き部を有し、前記遮蔽部材が動かされて、該切り欠き部に、前記ラックまたは前記側壁に設けられた前記係合部材が係合されることによって、前記ラックまたは前記側壁に対して所定の位置に案内される、空調空間遮蔽構造。
【請求項９】
前記遮蔽部材の前記切り欠き部は、前記切り欠き部内に突出し、前記切り欠き部に係合された前記係合部材が鉛直方向に交差する方向に移動することを規制する規制突起を有する、請求項８に記載の空調空間遮蔽構造。
【請求項１０】
前記遮蔽部材は、組み合わされて前記対向空間に掛け渡される一対の遮蔽体を有し、
前記一対の遮蔽体の各々は、分離可能であり、組み合わされて、一端部が前記係合部材に係合されると共に、他端部が前記対向空間の上方で互いに係合された状態が自重で保たれる、請求項８に記載の空調空間遮蔽構造。
【請求項１１】
前記遮蔽部材は、３つの辺又は４つの辺の各辺に前記切り欠き部が１つ以上形成されている、請求項８に記載の空調空間遮蔽構造。
【請求項１２】
空調装置によって空調される空調室内に配置されて電子機器を収容する複数のラックが配列された第１ラック列と、前記第１ラック列の長手方向に沿って前記第１ラック列に対向して配置された第２ラック列、または前記第１ラック列の長手方向に沿って前記第１ラック列に対向して設けられた前記空調室の側壁と、前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、前記遮蔽部材が係合される係合部材と、を備え、
前記係合部材は、鉛直方向に突出する係合部と、前記鉛直方向に交差する方向に延びる位置規制部と、を有し、
前記遮蔽部材は、外周部から切り欠かれた切り欠き部を有し、前記ラックに対して、前記鉛直方向に交差する面内で回転させることによって、前記切り欠き部に前記係合部材の前記係合部が係合される、空調空間遮蔽構造。
【請求項１３】
空調装置によって空調される空調室内に配置されて電子機器を収容する複数のラックが配列された第１ラック列と、前記第１ラック列の長手方向に沿って前記第１ラック列に対向して配置された第２ラック列、または前記第１ラック列の長手方向に沿って前記第１ラック列に対向して設けられた前記空調室の側壁と、前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、
前記ラックまたは前記側壁に設けられ、前記遮蔽部材がアダプタ部材を介して係合される係合部材と、を備え、
前記遮蔽部材は、外周部から切り欠かれた切り欠き部を有し、該切り欠き部に、前記係合部材を覆うように取り付けられた前記アダプタ部材が係合されることによって、前記ラックまたは前記側壁に対して所定の位置に案内される、空調空間遮蔽構造。
【発明の詳細な説明】
【技術分野】
【０００１】
本発明は、サーバ装置や記憶装置、スイッチ等の電子機器を収容するラックが設置されるデータセンタ等のマシン室における空調システム、及び空調システムに用いられる空調空間遮蔽構造に関する。
【背景技術】
【０００２】
データセンタのマシン室には、サーバ装置や記憶装置、サーバスイッチ等の電子機器がラックに収容されて設置されている。電子機器は、動作に伴って発熱し、その発熱によって、マシン室内の温度を上昇させてしまう。マシン室内の温度が上昇し、電子機器が基準を超える高熱になった場合、電子機器の動作に異常が生じるおそれがある。このため、マシン室内の電子機器を冷却し、電子機器を安定的に動作させるため、マシン室の室温を例えば２５℃以下にする空気調和装置（以下、空調装置と称する）がマシン室内に配置されている。
【０００３】
マシン室内に配置されるラックとしては、ラックに収容された電子機器を冷却するために、マシン室の床面から吹き出される冷却風によって電子機器を冷却し、その冷却風をラックの背面から排気するように構成されたラックが開示されている（例えば特許文献１参照）。
【０００４】
このようなラックを備える空調システムとしては、複数のラックが配列された第１ラック列及び第２ラック列が空調室内に配置されており、第１ラック列におけるラックの前面と、第２ラック列におけるラックの前面とが、冷却風が床面の開口から放出される対向空間を挟んで対向されている構成が開示されている（例えば特許文献２参照）。
【０００５】
そして、特許文献２に記載の空調システムでは、第１ラック列と第２ラック列との対向空間の上方を覆う上面遮蔽板と、第１ラック列の長手方向における対向空間の端部を覆う側面遮蔽板と、を備えている。対向空間を挟んで配置された各ラックの上面には、一対の上面遮蔽板がスライド可能に設けられている。また、第１ラック列及び第２ラック列の端部に、対向空間を挟んで配置された各ラックの側面には、一対の側面遮蔽板がスライド可能に設けられている。
【０００６】
一対の上面遮蔽板は、ラックに対してスライドされ、対向空間の上方を覆うように突き合わされることによって、対向空間の内部と外部とを隔てる。同様に、一対の側面遮蔽板は、ラックに対してスライドされ、第１ラック列の長手方向における対向空間の端部を覆うように突き合わされることによって、対向空間の内部と外部とを隔てる。
【０００７】
このような空調システムでは、上面遮蔽板及び側面遮蔽板を備えることによって、対向空間に供給された冷却風を、ラックに収容された電子機器に冷却風を安定的かつ効率的に導くことが可能になり、空調装置の消費電力の低減が図られている。
【先行技術文献】
【特許文献】
【０００８】
【特許文献１】特開２００９−１４７１１３号公報
【特許文献２】特開２００９−２８２７５３号公報
【発明の概要】
【発明が解決しようとする課題】
【０００９】
上述の特許文献２に記載されている空調システムでは、上面遮蔽板が、ラックの上面に設けられたスライドレールに固定されて配置されている。また、側面遮蔽板は、ラックの側面に設けられたスライドレールに固定されている。また同様に、上面遮蔽板及び側面遮蔽板を備える、本発明に関連する空調システムでは、上面遮蔽板及び側面遮蔽板が、ラックに対して固定ネジなどの固定部材によって固定されている。
【００１０】
ところで、一般的に、データセンタ内では、電子機器の需要の変化や電子機器の更新等に応じて、ラック列におけるラックの増設や削減、ラックの入れ替えが行われる。このような場合には、ラック列の変更に合わせて、上面遮蔽板の個数も変更する必要がある。
【００１１】
しかしながら、本発明に関連する空調システムでは、上面遮蔽板や側面遮蔽板がラックに固定部材などによって固定されているので、ラック列を変更する場合に、上面遮蔽板及び側面遮蔽板の分解作業、組立作業を伴う変更作業が煩雑であり、作業時間や変更作業に要するコストがかさむ問題があった。
【００１２】
そこで、本発明は、ラックの増減、交換を行うときに、ラック列の長さに応じて遮蔽部材を所定の位置に容易に配置することを可能とし、ラック列の変更作業の簡素化、変更作業に要するコストの削減を図ることができる空調システム及び空調空間遮蔽構造を提供することを目的とする。
【課題を解決するための手段】
【００１３】
上述した目的を達成するため、本発明の一態様に係る空調システムは、空調装置によって空調される空調室内に配置され、電子機器を収容する複数のラックが配列された第１ラック列と、前記第１ラック列の長手方向に沿って前記第１ラック列に対向して配置された第２ラック列、または前記第１ラック列の長手方向に沿って前記第１ラック列に対向して設けられた前記空調室の側壁と、前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、前記ラックまたは前記側壁に設けられ、鉛直方向に突出する形状を有し、前記遮蔽部材が係合される係合部材と、を備え、前記遮蔽部材は、外周部から切り欠かれた切り欠き部を有し、前記遮蔽部材が動かされて、該切り欠き部に、前記ラックまたは前記側壁に設けられた前記係合部材が係合されることによって、前記ラックまたは前記側壁に対して所定の位置に案内されて配置されることを特徴とする。
【００１４】
また、本発明の一態様に係る空調空間遮蔽構造は、空調装置によって空調される空調室内に配置されて電子機器を収容する複数のラックが配列された第１ラック列と、前記第１ラック列の長手方向に沿って前記第１ラック列に対向して配置された第２ラック列、または前記第１ラック列の長手方向に沿って前記第１ラック列に対向して設けられた前記空調室の側壁と、前記第１ラック列と、前記第２ラック列または前記側壁との間の対向空間であって、前記空調装置から冷却風が供給される該対向空間の上方を覆い、該対向空間の内部と外部とを隔てるように、前記第１ラック列と、前記第２ラック列または前記側壁とに跨がって前記ラック毎に配される遮蔽部材と、前記ラックまたは前記側壁に設けられ、鉛直方向に突出する形状を有し、前記遮蔽部材が係合される係合部材と、を備え、前記遮蔽部材は、外周部から切り欠かれた切り欠き部を有し、前記遮蔽部材が動かされて、該切り欠き部に、前記ラックまたは前記側壁に設けられた前記係合部材が係合されることによって、前記ラックまたは前記側壁に対して所定の位置に案内されることを特徴とする。
【発明の効果】
【００１５】
本発明によれば、ラックの増減、交換に応じて、ラックに対して遮蔽部材を所定の位置に容易に案内して配置することを可能にし、ラック列の変更作業の簡素化、変更作業に要するコストの削減を図ることができる。
【図面の簡単な説明】
【００１６】
【図１】第１の実施形態の空調システムの概略を説明するための模式図である。
【図２】第１の実施形態の空調システムにおいて、第１ラック列が第２ラック列に対向して配置された構成を示す斜視図である。
【図３】第１の実施形態における上面遮蔽部材の切り欠き部の構成例を示す模式図である。
【図４】第１の実施形態における上面遮蔽部材の切り欠き部の形状を示す平面図である。
【図５】第１の実施形態における上面遮蔽部材の切り欠き部の位置規制突起を示す平面図である。
【図６】第１の実施形態における上面遮蔽部材を操作するための凹部を示す平面図である。
【図７】第１の実施形態における側面遮蔽部材を説明するための模式図である。
【図８】第１の実施形態における端部用の上面遮蔽部材を説明するための模式図である。
【図９】第１の実施形態における係合部材の他の構成例を模式的に示す斜視図である。
【図１０】第１の実施形態における上面遮蔽部材の切り欠き部の他の構成例を示す模式図である。
【図１１】第１の実施形態における上面遮蔽部材の切り欠き部の他の構成例を示す模式図である。
【図１２】第１の実施形態における上面遮蔽部材の切り欠き部の他の構成例を示す模式図である。
【図１３】第１の実施形態における上面遮蔽部材の切り欠き部の他の構成例を示す模式図である。
【図１４】第１の実施形態において、他の構成例の上面遮蔽部材の切り欠き部に係合部材を係合させる操作を説明するための平面図である。
【図１５】第１の実施形態において、他の構成例の上面遮蔽部材の切り欠き部に係合部材を係合させる操作を説明するための平面図である。
【図１６】第１の実施形態において、他の構成例の上面遮蔽部材の切り欠き部に係合部材を係合させる操作を説明するための平面図である。
【図１７】第１の実施形態において、他の構成例の上面遮蔽部材の切り欠き部に係合部材を係合させる操作を説明するための平面図である。
【図１８】第１の実施形態におけるアダプタ部材を模式的に示す側面図である。
【図１９】第１の実施形態における上面遮蔽部材の切り欠き部の他の構成例を説明するために示す模式図である。
【図２０】隣接するラック同士を連結する連結部材を示す斜視図である。
【図２１】第２の実施形態における上面遮蔽部材及び係合部材を説明するための模式図である。
【図２２】第２の実施形態における上面遮蔽部材及び係合部材の他の構成例を説明するための模式図である。
【図２３】第２の実施形態における上面遮蔽部材及び係合部材の他の構成例を説明するための模式図である。
【図２４】第２の実施形態における上面遮蔽部材及び係合部材の他の構成例を説明するための模式図である。
【図２５】第３の実施形態における上面遮蔽部材を説明するための模式図である。
【図２６】第３の実施形態における上面遮蔽部材を説明するための模式図である。
【図２７】第３の実施形態における上面遮蔽部材を説明するための模式図である。
【図２８】第４の実施形態の空調システムにおいて、第１ラック列が側壁に対向して配置された構成を示す模式図である。
【発明を実施するための形態】
【００１７】
以下、本発明の具体的な実施形態について、図面を参照して説明する。
【００１８】
図１に、実施形態の空調システムの概略を説明するための模式図を示す。図１に示すように、実施形態の空調システムは、空調室としてのマシン室に適用されており、冷却風を供給する空調装置１１と、電子機器１０が収容される複数のラック１２が配列された第１ラック列１３と、図示しない第２ラック列または空調室の側壁と第１ラック列１３との間の対向空間１７であって、空調装置１１から冷却風が供給される対向空間１７の内部と外部とを隔てる空調空間遮蔽構造１８と、を備えている。
【００１９】
空調空間遮蔽構造１８は、対向空間１７の上方を覆って対向空間１７の内部と外部とを隔てる遮蔽部材としての上面遮蔽部材２１と、第１ラック列１３の長手方向における対向空間１７の両端に配されて対向空間１７の内部と外部を隔てる他の遮蔽部材としての側面遮蔽部材２２と、対向空間１７を挟んだ両側のラック１２または側壁にそれぞれ設けられて上面遮蔽部材２１が係合される係合部材２３と、を備えている。
【００２０】
電子機器１０としては、サーバ装置やサーバスイッチ装置が適用されており、電子機器１０の内部の空気を外部に排出する排気手段としてのファン（不図示）を有している。電子機器１０は、ファンによって電子機器１０の内部へ吸気する側が、ラック１２の前面１２ａ側となるようにラック１２に収容されている。
【００２１】
第１ラック列１３の各ラック１２は、ラック１２の前面１２ａ側が対向空間１７に臨んで配置されており、ファンによって、対向空間１７に供給された冷却風が、ラック１２の前面１２ａ側から電子機器１０の内部に吸気されると共にラックの背面１２ｂ側に排出される。
【００２２】
また、対向空間１７の床２５には、空調装置１１から供給される冷却風が放出される開口部２６が設けられている。空調室の床下には、空調装置１１から冷却風を供給するパイプなどのダクト構造（不図示）が設けられてもよい。
【００２３】
上述した空調システムにおいて、第１ラック列１３と、第２ラック列または側壁との間の対向空間１７に放出された冷却風は、ラック１２内の電子機器１０を冷却し、電子機器１０の内部を通って暖まった空気が、ラック１２の背面１２ｂ側から排出される。その後、ラック１２の背面１２ｂ側から排出された、暖まった空気は、空調空間遮蔽構造１８の外側を流れて、空調装置１１によって吸気される。そして、空調装置１１によって再度冷却された冷却風が、床下を通って対向空間１７に供給されるという循環になる。
【００２４】
実施形態では、空調空間遮蔽構造１８によって対向空間１７が包囲されているので、空調装置１１から対向空間１７に供給された冷却風が、ラック１２内の電子機器１０を冷却して暖まった空気と混ざることなく、ラック１２に収容された電子機器１０が効率的に冷却される。
【００２５】
図１で示す矢印は、空調装置１１から床下に供給される冷却風の流れ、床２５の開口部２６から対向空間１７に放出される冷却風の流れ、対向空間１７からラック１２の前面１２ａに供給される冷却風の流れ、ラック１２の背面１２ｂ側から排出された後に空調装置１１によって吸い込まれる、暖められた空気の流れをそれぞれ示している。
【００２６】
（第１の実施形態）
図２に、第１の実施形態の空調システムの模式図を示す。図２に示すように、第１の実施形態の空調システム１は、冷却風を供給する空調装置１１と、電子機器１０を収容する複数のラック１２が配列された第１ラック列１３と、第１ラック列１３の長手方向に沿って第１ラック列１３に対向して配置された第２ラック列１４と、第１ラック列１３と第２ラック列１４との間の対向空間１７であって、空調装置１１から冷却風が供給される対向空間１１の内部と外部とを隔てるための空調空間遮蔽構造１８と、を備えている。
【００２７】
空調空間遮蔽構造１８は、対向空間１７の上方を覆って対向空間１７の内部と外部とを隔てるように第１ラック列１３と第２ラック列１４とに跨がってラック１２毎に配された上面遮蔽部材２１と、第１ラック列１３の長手方向における対向空間１７の両端に第１ラック列１３の長手方向に交差して配されて対向空間１７の内部と外部を隔てる側面遮蔽部材２２と、ラック１２に設けられて上面遮蔽部材２１が係合される係合部材２３と、を備えている。そして、上面遮蔽部材２１は、外周部から切り欠かれた切り欠き部２１ａを有しており、切り欠き部２１ａに係合部材２３が係合されることによって、ラック１２に対して所定の位置に案内されて配置される。
【００２８】
複数のラック１２は、ラック１２の前面１２ａが対向空間１７を向くように床上に隙間無く並べて設置されている。本実施形態では、第１ラック１３の各ラック１２と、第２ラック列１４の各ラック１２は、床２５に開口部２６が設けられた対向空間１７を挟んで、ラック１２の前面１２ａが互い対向するように配列されている。
【００２９】
図２に示すように、本実施形態における第１ラック列１３には、４つのラック１２が１列に配列されており、第１ラック列１３に対向する位置にも、４つのラック１２が１列に配列された第２ラック列１４が、第１ラック列１３のラック１２の前面１２ａと互いに対向するように配置されている。第１ラック列１３と第２ラック列１４は、ラック列の長手方向に関する幅Ｗが同一寸法のラック１２を、各ラック列で同数配列する構成が好ましい。しかし、一部のラック１２の代わりに、空調室の側壁や柱が適用されたり、電子機器１０以外の物品を収納するキャビネットなどの収納構造体が適用されたりすることによって、第１ラック列１３と第２ラック列１４の長さが等しくされる構成であってもよい。  ラック１２を追加する場合には、既存の第１ラック列１３及び第２ラック列１４の各々の端部に配置されたラック１２の隣に、前面１２ａ側が互いに対向するように配置されると共に、第１ラック列１３と第２ラック列１４とに同数のラック１２が追加されて並ぶようにラック１２を追加する。例えば、図２に示した構成例では、第１ラック列１３と第２ラック列１４の各々に１つずつラック１２を追加した場合、一方のラック列当たりに５つのラック１２が配列されることになり、第１ラック列１３と第２ラック列１４とで合計１０個のラック１２が配置される。なお、本実施形態では、第１ラック列１３及び第２ラック列１４の各々が４つのラック１２から構成されたが、ラック１２の個数を限定するものでない。
【００３０】
第１ラック列１３と第２ラック列１４の長手方向における両端、例えば、空調室内の通路が配置される側や、空調装置１１が配置される側には、第１ラック列１３と第２ラック列１４とによって、床２５に開口部２６が設けられた対向空間１７を包囲するように、側面仕切り部材２２がそれぞれ設けられている。
【００３１】
空調空間遮蔽構造１８が備える上面遮蔽部材２１は、例えば樹脂材料によって四角形の板状に形成されている。上面遮蔽部材２１としては、対向するラック１２間に掛け渡された状態で主面の中央部が自重で撓むことを防ぐために、段ボール構造を有する板状部材や、波形状に形成された樹脂製の板材を用いることが、剛性と重量との兼ね合いの観点から好ましい。段ボール構造の板状部材や、波形状の板材を用いる場合、段ボール構造に含まれる波形部分や波形状の板材における、波形状に延びる辺が、ラック列の長手方向と平行になるように配置することによって、上面遮蔽部材２１が自重で撓むことを防ぐ効果が得られる。加えて、このような段ボール構造は、対向空間１７を覆うように設けられた空気層を有しており、対向空間１７の内部と外部との熱伝達を防ぐことが可能になり、断熱性の観点からも好ましい。
【００３２】
また、上面遮蔽部材２１は、透光性を有する樹脂材料によって形成されることで、空調室内の照明の光が対向空間１７内に透過するように構成されている。なお、図示しないが、上面遮蔽部材２１には、必要に応じて、対向空間１７の内部を照明する照明器具が設けられてもよい。
【００３３】
また、図示しないが、上面遮蔽部材２１は、必要に応じて、対向空間１７に掛け渡される方向に延びる金属材を用いて補強されてもよい。このような上面遮蔽部材２１としては、上面遮蔽部材２１の外周部に沿って金属材が枠状に配置される構成や、上面遮蔽部材２１の主面部に金属材が格子状に配置される構成が挙げられる。
【００３４】
上面遮蔽部材２１は、ラック列の長手方向に平行な辺が、長手方向に対するラック１２の幅Ｗと等しく形成されており、１つのラック１２毎に対応する外形寸法に形成されている。
【００３５】
そして、上面遮蔽部材２１は、切り欠き部２１ａに係合部材２３が係合されることによって、ラック１２に対して所定の位置に案内されて配置される。なお、上面遮蔽部材２１に切り欠き部２１ａを形成する位置や形状に関しては、特に限定されるものではない。
【００３６】
図３に、上面遮蔽部材２１の切り欠き部２１ａの構成例の模式図を示す。図３（ａ）及び図３（ｂ）に示すように、切り欠き部２１ａが、上面遮蔽部材２１の主面の中心に対して点対称となるように４つの各辺に形成される構成が挙げられる。また、切り欠き部２１ａは、図３（ｃ）に示すように上面遮蔽部材２１の４つの角部に形成される構成や、図３（ｄ）及び図３（ｅ）に示すように２つの辺や３つの辺に、ラック例の長手方向に平行な辺の中心線に対して線対称に形成される構成が挙げられる。また、切り欠き部２１ａは、図３（ｆ）に示すように各辺に非対称に形成されてもよい。
【００３７】
上面遮蔽部材２１は、係合部材２３が係合される切り欠き部２１ａが形成されることによって、切り欠き部２１ａに係合部材２３を位置決めして係合するときに、ラック１２の上面に対して上面遮蔽部材２１の主面を傾けた状態で係合させることが可能になる。つまり、係合部材２３に対する切り欠き部２１ａの移動の自由度が確保されるので、複数の係合部材２３に対して各切り欠き部２１ａを位置決めして係合させる取付け作業を容易に行うことが可能になる。
【００３８】
図４に、切り欠き部２１ａの形状の平面図を示す。図５に、切り欠き部２１ａの位置規制突起の平面図を示す。図６に、上面遮蔽部材２１を操作するための凹部の平面図を示す。
【００３９】
また、切り欠き部２１ａの形状は、図４（ａ）及び図４（ｂ）に示すように、六角形や三角形などの断面形状の係合部材２３に対応する形状に形成されてもよく、切り欠き部２１ａと係合部材２３との係合状態の変動を防ぎ、振動に対する上面遮蔽部材２１の安定性を高めることができる。
【００４０】
また、切り欠き部２１ａは、図５（ａ）及び図５（ｂ）に示すように、切り欠き部２１ａ内において、上面遮蔽部材２１の主面に平行な方向に係合部材２３が動くことを規制する位置規制突起２１ｂを有してもよく、切り欠き部２１ａに係合された係合部材２３が、切り欠き部２１ａから外れることを規制することができる。このように切り欠き部２１ａは、位置規制突起２１ｂを有することで、上面遮蔽部材２１に振動が加わった場合であっても、切り欠き部２１ａと係合部材２３との係合状態を更に適正に保つことが可能になる。
【００４１】
また、図６に示すように、上面遮蔽部材２１の、対向空間１７側の主面には、ラック１２に対して上面遮蔽部材２１を着脱するときに、指先を掛けるための操作用の凹部２１ｃや、指先で摘まむための操作用の凸部が設けられてもよい。これによって、上面遮蔽部材２１の移動時の操作性の向上を図ると共に、対向空間１７内の気密性を保つことができる。
【００４２】
図７に、側面遮蔽部材２２の模式図を示す。図８に、端部用の上面遮蔽部材の模式図を示す。図７（ａ）に示すように、側面遮蔽部材２２は、例えば、樹脂シートによって短冊状に形成された複数のカーテン２２ａを有して構成されている。側面遮蔽部材２２は、複数のカーテン２２ａが、対向空間１７の内部と外部とを隔てるように並べて配置されており、電子機器１０の操作や設定、保守を行う作業者が対向空間１７に出入りできる構造を有している。カーテン２２ａには、図７（ｂ）に示すように、後述する端部用の上面遮蔽部材２４に沿って吊り下げられる辺に、鉤爪状の吊り下げ部材２２ｂが設けられている。吊り下げ部材２２ｂの一端部は、ボルト及びナットなどの固定部材２２ｃによってカーテン２２ａに固定されている。
【００４３】
図７（ｂ）に示すように、第１及び第２ラック列１３、１４の長手方向の両端に配置される上面遮蔽部材（以下、端部用の上面遮蔽部材と称する。）２４には、側面遮蔽部材２２が着脱可能に取り付けられる。このため、端部用の上面遮蔽部材２４は、側面遮蔽部材２２を支持する機能を兼ねるために、ラック列の途中に配置される上面遮蔽部材２１と構成の一部が異なっている。端部用の上面遮蔽部材２４は、図８（ａ）及び図８（ｃ）に示すように、側面遮蔽部材２２を支持するために十分な剛性を確保する補強部材２４ａと、側面遮蔽部材２２を着脱可能に吊り下げるための係合穴２４ｂと、を更に有している。
【００４４】
端部用の上面遮蔽部材２４は、図８（ａ）及び図８（ｂ）に示すように、第１ラック列１３と第２ラック列１４とに跨がる方向に対応する一組の辺に沿って、補強部材２４ａが組み付けられている。補強部材２４ａは、両端が第１ラック列１３と第２ラック列１４とに掛け渡される長さを有している。補強部材２４ａは、例えば強化樹脂材や金属材などによって形成されており、図８（ｄ）及び図８（ｅ）に示すように、上面遮蔽部材２４の主面部が嵌め込まれる溝を有する丸棒や、断面コ字状金具として構成されている。補強部材２４ａは、溝に嵌め込まれた上面遮蔽部材２４の主面部を貫通するように設けられた固定ネジや、ボルト及びナットなどの固定部材２４ｃによって、上面遮蔽部材２４の主面部に固定されている。
【００４５】
また、図８（ａ）及び図８（ｃ）に示すように、係合穴２４ｂは、補強部材２４ａに隣接する位置に設けられており、側面遮蔽部材２２を構成する複数のカーテン２２ａの吊り下げ部材２２ｂが係合される。
【００４６】
なお、本実施形態では、端部用の上面遮蔽部材２４は、他の上面遮蔽部材２１に一部の構成が追加されているが、全ての上面遮蔽部材が同一に構成されてもよい。
【００４７】
係合部材２３は、例えば円柱状の軸が用いられており、ラック１２の上面から鉛直方向に突出して設けられている。係合部材２３は、個数や形状が限定されるものではなく、上面遮蔽部材２１の切り欠き部２１ａに対応して設けられている。本実施形態では、係合部材２３の構成例として、円形断面を有する円柱状の軸を用いて説明するが、図４に示したような六角形や三角形などの多角形断面を有する角柱状の軸や他の断面形状の軸が用いられてもよいことは勿論である。また同様に、係合部材２３としてボルトを用いた構成例を以下に記載するが、ボルトに限定されるものではない。ボルトを用いた効果と同様の効果が得られる他の形状の部材が係合部材２３として用いられてもよい。また、締め付けや固定などの機能が必要でない場合には、ボルトの代わりに、締め付けや固定などの機能を奏するネジ頭やネジ溝などの一部の形状が省かれた他の形状の部材が係合部材として用いられてもよい。
【００４８】
図９に、係合部材２３の他の構成例の斜視図を示す。図９（ａ）に示すように、係合部材２３は、ラック１２の上面から鉛直方向に突出する係合部２３ａと、鉛直方向に直交する水平方向に延びる位置規制部２３ｂと、を有して構成されてもよい。このような係合部材２３としては、係合部２３ａとしてのネジ部と、位置規制部２３ｂとしてのネジ頭とからなるボルトが用いられてもよい。このように係合部材２３は、位置規制部２３ｂを有することによって、切り欠き部２１ａに係合部材２３が係合された状態で、上面遮蔽部材２１が鉛直方向に振動することが抑えられ、係合状態の安定性を高めることができる。
【００４９】
円柱状の軸の係合部材２３を用いる構成では、切り欠き部２１ａに係合部材２３を係合させるときに、係合部材２３に対して上面遮蔽部材２１を、上面遮蔽部材２１の主面に交差する直交方向に移動させる構成であった。これに対して、位置規制部２３を有する係合部材を用いる構成では、上面遮蔽部材２１の主面に平行な面内で、上面遮蔽部材２１を回転操作することで、切り欠き部２１ａに係合部材２３が係合される。
【００５０】
また、係合部材２３としては、ボルトとナットを用いて、上面遮蔽部材２１が載せられるナットの位置をボルトに対して調節可能に構成されてもよく、また図９（ｂ）に示すように、２つのボルトが鉛直方向に重ねて連結されてもよい。例えば、対向した配置されるラック１２の高さが異なる場合には、鉛直方向に対するナットやネジ頭の位置を調節することによって、上面遮蔽部材２１の切り欠き部２１ａをネジ部に係合させて、ナット上に配置するように構成されてもよい。なお、ここでは、ボルトとナットを用いたが、ボルトとナットの機能を有する部材であれば、ボルトとナットに類似する形状の他の部材が用いられてもよい。
【００５１】
また、上述した実施形態では、上面遮蔽部材２１をラック１２に対して位置決めして係合させるために４つの係合部材２３を用いたが、係合部材２３の個数が限定されるものではなく、必要に応じて、３つの係合部材２３や２つの係合部材２３を所望の位置に配置して用いるように構成されてもよいことは勿論である。図１０〜図１３に、第１の実施形態における上面遮蔽部材２１の他の構成例を説明するための模式図を示す。
【００５２】
３つの係合部材２３を用いる構成についても、上述した４つの係合部材２３を用いる構成と同様に、図１０（ａ）〜図１０（ｆ）に示すように、上面遮蔽部材２１の各辺に切り欠き部２１ａを形成する構成例が挙げられる。
【００５３】
また、２つの係合部材２３を用いる構成についても、上述した４つの係合部材２３を用いる構成と同様に、図１１（ａ）〜図１１（ｄ）に示すように、上面遮蔽部材２１の各辺に切り欠き部２１ａを形成する構成例が挙げられる。また、２つの係合部材２３を用いる場合、一組のラック１２に係合部材２３が１つずつ配置される構成に限定されるものではなく、図１１（ｂ）〜図１１（ｄ）に示すように、一組のラック１２のうちの、一方のラック１２に２つの係合部材２３が配置されてもよい。
【００５４】
また、２つの係合部材２３を用いる場合、図１２（ａ）〜図１２（ｄ）に示すように、上面遮蔽部材２１の主面の対角線上で係合部材２３と係合されるように、上面遮蔽部材２１に切り欠き部２１ａを形成する構成例が挙げられる。
【００５５】
さらに、図１３（ａ）及び図１３（ｂ）に示すように、２つの係合部材２３を用いる場合、上面遮蔽部材２１の、ラック列の長手方向に平行な辺の中心線上で係合部材２３と係合されるように、上面遮蔽部材２１には、ラック列の長手方向と平行な辺の中央に切り欠き部２１ａを形成する構成例が挙げられる。
【００５６】
以上のように構成された空調システム１において、ラック１２の係合部材２３に対して上面遮蔽部材２１が所定の位置に取り付けられる動作を、上面遮蔽部材２１の構成例毎に説明する。なお、各構成例の上面遮蔽部材２１は、主面部に操作用の凹部２１ｃが形成されていると共に、切り欠き部２１ａに位置規制突起２１ｂが形成されている。図１４〜図１５に、他の構成例の上面遮蔽部材２１の切り欠き部２１ａに係合部材２３を係合させる操作を説明するための平面図を示す。
【００５７】
まず、図１４（ａ）に示すように、対向する一対の角部近傍、かつ、対向する辺に２つの切り欠き部２１ａが形成された上面遮蔽部材２１を、係合部材２３に取り付ける場合を説明する。この場合、図１４（ａ）及び図１４（ｂ）に示すように、２つのラック１２に対して上面遮蔽部材２１を、各係合部材２３と各切り欠き部２１ａとが対応するように向けた状態で、ラック１２の上面に平行な水平面内で、上面遮蔽部材２１を回転させる。これによって、図１４（ｃ）に示すように、各切り欠き部２１ａに係合部材２３が進入して、切り欠き部２１ａと係合部材２３とが係合されることで、上面遮蔽部材２１はラック１２間に跨がって所定の位置に取り付けられる。また、切り欠き部２１ａに係合された係合部材２３は、切り欠き部２１ａの位置規制突起２１ｂによって、係合状態が保たれる。
【００５８】
また、図１５（ａ）に示すように、対向する一対の角部近傍、かつ、隣接する辺に２つの切り欠き部２１ａが形成された上面遮蔽部材２１を、係合部材２３に取り付ける場合を説明する。この場合、図１５（ａ）及び図１５（ｂ）に示すように、２つのラック１２に対して上面遮蔽部材２１を、各係合部材２３と各切り欠き部２１ａとが対応するように向けた状態で、まず一方のラック１２の係合部材２３を、ラック列の長手方向と平行になる辺に形成された切り欠き部２１ａに係合させる。続いて、図１５（ｂ）及び図１５（ｃ）に示すように、切り欠き部２１ａに係合された係合部材２３を中心として、上面遮蔽部材２１を、ラック１２の上面に平行な水平面内で回転させ、他方のラック１２の係合部材２３を切り欠き部２１ａに係合させる。これによって、上面遮蔽部材２１はラック１２間に跨がって所定の位置に取り付けられる。
【００５９】
また、図１６（ａ）に示すように、対向する一対の角部近傍、かつ、隣接する辺に２つの切り欠き部２１ａが形成されると共に、２つの切り欠き部２１ａの一方がＬ字状に形成された上面遮蔽部材２１を、係合部材２３に取り付ける場合を説明する。この場合、図１６（ａ）及び図１６（ｂ）に示すように、２つのラック１２に対して上面遮蔽部材２１を、各係合部材２３と各切り欠き部２１ａとが対応するように向けた状態で、ラック列の長手方向に対して上面遮蔽部材２１を、ラック１２の上面に平行な水平面内で水平移動させる。これによって、まず一方のラック１２の係合部材２３をＬ字状の切り欠き部２１ａに挿入させる。続いて、図１６（ｃ）に示すように、上面遮蔽部材２１を、ラック列の長手方向に直交する方向に対して、ラック１２の上面に平行な水平面内で平行移動させることによって、２つの係合部材２３を２つの切り欠き部２１ａにそれぞれ係合させる。これによって、上面遮蔽部材２１はラック１２間に跨がって所定の位置に取り付けられる。
【００６０】
また、図１７（ａ）に示すように、対向する一対の角部近傍、かつ、対向する辺に２つの切り欠き部２１ａが形成されると共に、２つの切り欠き部２１ａの一方がＬ字状に形成された上面遮蔽部材２１を係合部材２３に取り付ける場合を説明する。この場合、図１７（ａ）及び図１７（ｂ）に示すように、２つのラック１２に対して上面遮蔽部材２１を、各係合部材２３と各切り欠き部２１ａとが対応するように向けた状態で、一方のラック１２の係合部材２３をＬ字状の切り欠き部２１ａに係合させる。続いて、図１７（ｂ）及び図１７（ｃ）に示すように、Ｌ字状の切り欠き部２１ａに係合された係合部材２３を中心として、上面遮蔽部材２１を、ラック１２の上面に平行な水平面内で回転させ、他方のラック１２の係合部材２３を切り欠き部２１ａに係合させる。これによって、上面遮蔽部材２１はラック１２間に跨がって所定の位置に取り付けられる。
【００６１】
最後に、以上のようにラック１２間に上面遮蔽部材２１及び端部用の上面遮蔽部材２４が取り付けられた後、端部用の上面遮蔽部材２４の係合穴２４ｂに、吊り下げ部材２２ｂが係合されて複数のカーテン２２ａが着脱可能に取り付けられる。これによって、側面遮蔽部材２２は、端部用の上面遮蔽部材２４に着脱可能に取り付けられる。
【００６２】
上述したように、第１の実施形態の空調システム１は、切り欠き部２１ａを有する上面遮蔽部材２１と、上面遮蔽部材２１の切り欠き部２１ａに係合する係合部材２３と、を備えることによって、上面遮蔽部材２１をラック１２に対して容易に着脱可能にすると共に、ラック１２に対して上面遮蔽部材２１を所定位置に容易に位置決めして係合させることができる。
【００６３】
空調システム１は、上面遮蔽部材２１に切り欠き部２１ａが形成されることによって、ラック１２の上面に対して上面遮蔽部材２１の主面を傾けた状態で切り欠き部２１ａと係合部材２３とを係合させることが可能になり、切り欠き部２１ａと係合部材２３とを係合させるときの自由度を高めることができる。このため、簡素な構成によって、複数の係合部材２３に対して切り欠き部２１ａを容易に係合させることが可能になる。
【００６４】
その結果、実施形態によれば、ラック１２の増減、交換に応じて、ラック１２に対して上面遮蔽部材２１を所定の位置に容易に案内して配置することを可能にし、ラック列の変更作業の簡素化、変更作業に要するコストの削減を図ることができる。
【００６５】
なお、上述した実施形態では、複数の切り欠き部２１ａが同一形状に形成された上面遮蔽部材２１と、同一形状である複数の係合部材２３と、を備える構成を説明したが、複数の切り欠き部の少なくとも１つ、及び複数の係合部材の少なくとも１つの形状や大きさを異ならせてもよい。例えば、複数の切り欠き部のうちの１つ又は全て、及び複数の係合部材のうちの１つまたは全ての形状や大きさを互いに異ならせることによって、上面遮蔽部材を各係合部材に係合させることで、ラックに対して上面遮蔽部材を、所定の位置に案内すると共に所定の向きに案内して配置することが可能になる。言い換えると、ラックに対して上面遮蔽部材が所定の位置及び向き以外のときには、上面遮蔽部材の各切り欠き部と各係合部材とが係合されないので、ラックに対して上面遮蔽部材が不適切な状態で取り付けられることを防ぐことができる。また、上述した所定の向きは、ラックの上面に平行な水平面内における上面遮蔽部材の主面の向きと、ラックに対する上面遮蔽部材の表裏の向きとを含んでおり、ラックの上面に対して上面遮蔽部材が適切な向きに配置されることを指している。
【００６６】
また、本発明に係る空調システムにおける遮蔽部材は、係合部材が係合される部分が切り欠き部として構成されたが、必要に応じて、係合部材が係合される部分が、遮蔽部材の主面に形成された複数の係合穴として構成されてもよい。しかしながら、係合部材が切り欠き部に係合される構成は、係合部材が係合穴に位置決めする必要がある構成に比べて、複数の係合部材を各切り欠き部に対して容易に位置決めして係合させることが可能であり、遮蔽部材の着脱時の取り扱いを容易に行うことができる。
【００６７】
また、上述した実施形態では、軸状の係合部材２３に対して直接、切り欠き部２１ａが係合するように構成されたが、係合部材２３を覆うようにアダプタ部材が取り付けられて、アダプタ部材に切り欠き部２１ａが係合されてもよい。
【００６８】
図１８に、アダプタ部材の模式的な側面図を示す。図１８（ａ）及び図１８（ｂ）に示すように、アダプタ部材２８は、ドーム形や箱形をなす蓋状に形成されており、切り欠き部の寸法に対応する外形形状に形成されている。
【００６９】
係合部材２３を覆うようにラック１２の上面に配置されたアダプタ部材２８が、切り欠き部２１ａに係合されることによって、切り欠き部２１ａに軸状の係合部材２３が係合された係合状態に比べて、切り欠き部２１ａとアダプタ部材２８との間に生じる隙間を小さくすることができる。このため、切り欠き部２１ａ内で係合部材２３ががたつくことが避けられ、ラック１２に取り付けられた上面遮蔽部材２１の変動を防ぐことができる。
【００７０】
また、上述した実施形態では、切り欠き部２１ａが、上面遮蔽部材２１の厚み方向に貫通して形成されていたが、この構成に限定されるものではない。
【００７１】
図１９に、上面遮蔽部材の切り欠き部の他の構成例の模式図を示す。図１９（ａ）及び図１９（ｂ）に示すように、上面遮蔽部材２１は、重ね合わされる上板３０ａと下板３０ｂを有しており、上板３０ａと下板３０ｂとが固定ネジや接着剤などによって固定されている。下板３０ｂには、係合部材２３の外形寸法よりも十分に大きい切り欠き部２１ａが形成されており、切り欠き部２１ａが、下板３０ｂに重ねられた上板３０ａによって覆われて、凹状に構成されている。
【００７２】
また、係合部材２３は、係合部材２３に係合された上面遮蔽部材２１をラック１２に押圧する押圧機構を有して構成されてもよい。このような構成の場合、図示しないが、押圧機構は、上面遮蔽部材２１の切り欠き部２１ａの周囲を押圧する押圧板と、押圧板をラック１２に向けて付勢するバネとを有している。上面遮蔽部材２１は、切り欠き部２１ａに係合部材２３を係合させるとき、切り欠き部２１ａの周囲の部分を押圧板に突き当てることで、バネの付勢力に抗して押圧板を持ち上げながら、切り欠き部２１ａに係合部材２３が係合される。切り欠き部２１ａと係合部材２３とが係合された状態で、上面遮蔽部材２１は、押圧板によってラック１２の上面に押圧されるので、振動に対する係合状態の安定性を高めることができる。
【００７３】
また、第１及び第２ラック列１３、１４のラック１２は、隣接するラック１２同士が連結部材３１によって連結されている。図２０に、隣接するラック１２同士を連結する連結部材３１の模式図を示す。係合部材２３は、図２０に示すように、連結部材３１をラック１２に固定する機能を兼ねてもよい。言い換えると、連結部材３１を固定するボルトなどの固定部材が、係合部材２３として用いられてもよく、係合部材２３を別途に設ける必要を省くことができる。
【００７４】
以下、他の構成例の上面遮蔽部材２１及び係合部材２３を備える他の実施形態の空調システムについて説明する。なお、他の実施形態の空調システムにおいて、第１の実施形態と同一の構成について説明を省略する。
【００７５】
（第２の実施形態）
上述した第１の実施形態では、軸状の係合部材２３が用いられたが、板状の係合部材が用いられてもよい。本実施形態は、上面遮蔽部材２１の角部に形成された切り欠き部２１ａに、板状の係合片を有する係合部材が係合される点が異なっている。図２１に、第２の実施形態における上面遮蔽部材及び係合部材を説明するための模式図を示す。図２２〜図２４に、第２の実施形態における上面遮蔽部材及び係合部材の他の構成例を説明するための模式図を示す。
【００７６】
図２１（ａ）に示すように、第２の実施形態における上面遮蔽部材２１には、ラック列の長手方向に対応する一組の辺における両端の角部の各々に、四角形の切り欠き部２１ａが形成されている。
【００７７】
図２１（ｂ）に示すように、係合部材３３は、断面Ｌ字状の板材によって形成されており、ラック１２の上面に、板状の係合片３３ａを鉛直方向に突出させて配置されている。１つのラック１２の上面に配置される２つの係合部材３３は、係合片３３ａの向きを互いに異ならせて配置されており、接着剤や固定ネジなどによって固定されている。また、各ラック１２に配置される４つの係合部材３３は、図２１（ａ）に示すように、互いに９０度ずつ向きを異ならせて配置されている。
【００７８】
以上のように構成された上面遮蔽部材２１を係合部材３３に係合させる場合、図２１（ｂ）及び図２１（ｃ）に示すように、２つのラック１２に対して上面遮蔽部材２１を、各係合部材３３と各切り欠き部２１ａとが対応するように向けた状態で、上面遮蔽部材２１を鉛直方向に降下させる。上面遮蔽部材２１は、ラック１２の上面に載置されることで、各切り欠く部２１ａに各係合部材３３が係合される。また、ラック１２間に取り付けられた上面遮蔽部材２１は、ラック１２の上面から持ち上げられることで、切り欠き部２１ａと係合部材３３との係合状態を容易に解除することができる。
【００７９】
また、図２２（ａ）に示すように、上面遮蔽部材２１には、ラック列の長手方向に対応する一組の辺における一方の辺のみの角部に、四角形の切り欠き部２１ａが形成されてもよい。この構成の場合、図２２（ａ）及び図２２（ｂ）に示すように、係合部材として、切り欠き部２１ａに係合される第１の係合部材３４と、切り欠き部２１ａが形成されていない角部に係合される第２の係合部材３５とが組み合わされて用いられる。第１の係合部材３４は、断面コ字状に形成されている。第２の係合部材３５は、断面コ字状に形成されており、角部に係合する係合片を有している。
【００８０】
第１の係合部材３４は、一対のラック１２のうちの一方のラック１２の上面に配置されている。第２の係合部材３５は、他方のラック１２の上面に配置されている。第１及び第２の係合部材３４、３５は、ラック１２の上面に、接着剤や固定ネジなどよって固定されている。
【００８１】
以上のように構成された上面遮蔽部材２１を第１及び第２の係合部材３４、３５に係合させる場合、図２２（ｂ）及び図２２（ｃ）に示すように、２つのラック１２に対して上面遮蔽部材２１を、第１の係合部材３４と切り欠き部２１ａとが対応すると共に、第２の係合部材３５と角部とが対応するように向けた状態で、まず第２の係合部材３５の係合片３５ａの上方の隙間から、第２の係合部材３５の内側に、ラック１２間に跨がる辺が挿入される。
【００８２】
続いて、図２２（ｄ）に示すように、第２の係合部材３５の内側に挿入された辺の切り欠き部２１ａ側を第１の係合部材３４に近づけて、第１及び第２の係合部材３５、３６の内側に、切り欠き部２１ａ及び角部をそれぞれ挿入し、第１及び第２の係合部材３５、３６に上面遮蔽部材２１を載置することで、第１の係合部材３４に切り欠き部２１ａが係合されると共に、第２の係合部材３５に角部が係合される。また、ラック１２間に取り付けられた上面遮蔽部材２１は、ラック１２の上面から持ち上げられることで、第１及び第２の係合部材３４、３５と、切り欠き部２１ａ及び角部との係合状態を容易に解除することができる。
【００８３】
また、図２３（ａ）に示すように、上面遮蔽部材２１には、ラック列の長手方向に対応する一組の辺における両端の角部の一方のみに、切り欠き部２１ａが形成されてもよい。上面遮蔽部材２１には、対角線上に位置する一組の角部のみに、切り欠き部２１ａが形成されている。この構成の場合、図２３（ａ）及び図２３（ｂ）に示すように、１つのラック１２に配置される２つの係合部材としては、断面Ｌ字状の係合部及び上面遮蔽部材２１の主面と平行に形成された位置規制片３６ａとを有する第１の係合部材３６と、断面Ｌ字状の係合部３７ａを有する第２の係合部材３７とが組み合わされて用いられる。
【００８４】
第１の係合部材３６は、上面遮蔽部材２１の切り欠かれていない角部に対応する位置に配置されている。第２の係合部材３７は、図２３（ｂ）に示すように、高さＨ２が第１の係合部材３６の高さＨ１よりも低く形成されており、上面遮蔽部材２１の切り欠き部２１ａに対応する位置に配置されている。第１及び第２の係合部材３６、３７は、ラック１２の上面に、接着剤や固定ネジなどよって固定されている。
【００８５】
以上のように構成された上面遮蔽部材２１を第１及び第２の係合部材３６、３７に係合させる場合、図２３（ｂ）に示すように、２つのラック１２に対して上面遮蔽部材２１を、第１の係合部材３６と切り欠き部２１ａとが対応すると共に、第２の係合部材３７と各角部とが対応するように向けた状態で、まず第２の係合部材３７に対して角部を対向させる。続いて、図２３（ｃ）及び図２３（ｄ）に示すように、切り欠き部２１ａが形成された角部を、第１の係合部材３７の位置規制片３７ａの外側から内側に回り込ませるように、第１の係合部材３７の内側に載せることによって、切り欠き部２１ａの縁部の辺に第１の係合部材３７が係合される。また、ラック１２間に取り付けられた上面遮蔽部材２１は、ラック１２の上面から持ち上げられることで、第１及び第２の係合部材３６、３７との係合状態を容易に解除することができる。
【００８６】
切り欠き部２１ａは、第２の係合部材３７に角部が係合された状態で、切り欠き部２１ａが形成された角部を第１の係合部材３６の内側に回り込ませるときに第１の係合部材３６に衝突することを避け、切り欠き部２１ａの縁部を第１の係合部材３６に係合させるように機能している。このように切り欠き部２１ａの縁部の辺に第１の係合部材３６が係合される構成についても、本発明では、係合部材が係合される切り欠き部に含まれるものとする。
【００８７】
上述した係合部材３３は、板状の係合片３３ａがラック１２の上面から鉛直方向に突出して構成されたが、板状の係合部材がラック１２の上面に沿って配置されてもよい。図２４（ａ）及び図２４（ｂ）に示すように、上面遮蔽部材２１は、隣接して配置される上面遮蔽部材２１との境界となる辺に沿って、この隣接する上面遮蔽部材２１に重ねられる重ね合わせ部としての段差部３９を有している。
【００８８】
上面遮蔽部材２１は、図２４（ｃ）に示すように、重ね合わされる一対の上板３８ａと下板３８ｂとを有している。上板３８ａと下板３８ｂは、ラック１２間に跨がる方向に対応する一組の辺に沿って段差部３９を形成するように、ラック列の長手方向に対応する方向に所定の幅だけ位置をずらすように重ね合わされた状態で接着剤などによって固定されている。
【００８９】
上面遮蔽部材２１は、隣接する上面遮蔽部材２１と段差部３９同士を重ね合わせて配置されることで、上面遮蔽部材２１の自重を利用して、隣接する上面遮蔽部材２１をラック１２に押圧することが可能になる。このため、上面遮蔽部材２１に加わる振動に対して、上面遮蔽部材２１と係合部材４０との係合状態の安定性を高めることができる。加えて、上面遮蔽部材２１によれば、隣接する上面遮蔽部材２１同士の境界部分の気密性を高めることができる。
【００９０】
そして、上面遮蔽部材２１の下板３８ｂには、図２４（ａ）に示すように、ラック列の長手方向に対応する一組の辺に沿って、凹凸状の切り欠き部２１ａが形成されている。係合部材４０は、樹脂材料によって平板状に形成されており、第１及び第２ラック列１３、１４の長手方向に沿って配置されている。係合部材４０には、ラック列の長手方向に平行な一辺に沿って、上面遮蔽部材２１の切り欠き部２１ａに対応する凹凸状の係合部４０ａが切り欠かれて形成されている。
【００９１】
以上のように構成された上面遮蔽部材２１を係合部材４０に係合させる場合、図２４（ａ）に示すように、２つのラック１２に対して上面遮蔽部材２１を、各係合部材４０と各切り欠き部２１ａとが対応するように向けた状態で、上面遮蔽部材２１を鉛直方向に降下させる。上面遮蔽部材２１は、ラック１２の上面に載置されることで、各切り欠き部２１ａに各係合部材４０が係合される。このとき、隣接する上面遮蔽部材２１同士の各段差部３９は、互いに重ね合わされる。また、ラック１２間に取り付けられた上面遮蔽部材２１は、ラック１２の上面から持ち上げることで、切り欠き部２１ａと係合部材４０との係合状態を容易に解除することができる。
【００９２】
（第３の実施形態）
上述した実施形態では、第１ラック列１３と第２ラック列１４とに跨がってラック１２毎に１つの上面遮蔽部材２１が設けられたが、１つの上面遮蔽部材が、一対の遮蔽体を組み合わせて構成されてもよい。
【００９３】
図２５に、第３の実施形態における上面遮蔽部材を説明するための模式図を示す。図２５（ａ）及び図２５（ｂ）に示すように、上面遮蔽部材４３は、組み合わされて対向空間１７に掛け渡される一対の遮蔽体としての一対の遮蔽板４３ａ、４３ｂを有している。一対の遮蔽板４３ａ、４３ｂは、対向空間１７の上方で互いに係合された状態が自重で保たれる。  遮蔽板４３ａ、４３ｂの一端部には、係合部材２３に係合される切り欠き部２１ａが形成されている。一組の遮蔽板４３ａ、４３ｂのうち、一方の遮蔽板４３ａの他端部には、他方の遮蔽板４３ｂの他端部に係合する凹部４４ａが形成されている。また、他方の遮蔽板の他端部４３ｂには、一方の遮蔽板の凹部４４ａに係合する凸部４４ｂが形成されている。
【００９４】
以上のように構成された上面遮蔽部材４３は、図２５（ｃ）に示すように、一組の遮蔽板４３ａ、４３ｂの凹部４４ａと凸部４４ｂを係合させた状態で、ラック１２間に掛け渡される。続いて、図２５（ｄ）に示すように、一組の遮蔽板４３ａ、４３ｂが交差する角度を徐々に広げながら、各遮蔽板４３ａ、４３ｂの切り欠き部２１ａを係合部材に近づけて、切り欠き部２１ａの端に係合部材２３が当たり、切り欠き部２１ａが係合部材２３に係合される。
【００９５】
このように一組の遮蔽板４３ａ、４３ｂは、一端部が係合部材２３に係合されると共に、他端部が互いに係合されて、自重で係合状態が保たれる。これによって、一組の遮蔽板４３ａ、４３ｂは、他端部が交差した状態でラック１２間に取り付けられる。凹部４４ａと凸部４４ｂとが互いに係合された一組の遮蔽板４３ａ、４３ｂは、図２５（ａ）に示すように、対向空間１７に跨がってラック１２間にアーチ状に掛け渡される。
【００９６】
上面遮蔽部材をラック１２間から取り外すときには、一組の遮蔽板４３ａ、４３ｂの凹部４４ａと凸部４４ｂの係合部分を押し上げて、一組の遮蔽板４３ａ、４３ｂが交差する角度を狭めることによって、係合部材２３から切り欠き部２１ａが離れるので、切り欠き部２１ａと係合部材２３との係合状態を容易に解除することができる。
【００９７】
本実施形態における上面遮蔽部材４３によれば、互いに係合して自重で係合状態が保たれる一組の遮蔽板４３ａ、４３ｂを有することで、ラック１２に対して上面遮蔽板４３を着脱するときの操作性を高めることができる。
【００９８】
また、上述した上面遮蔽部材の他の構成例について簡単に説明する。上述した上面遮蔽部材４３は、一組の遮蔽板４３ａ、４３ｂがアーチ状に掛け渡されたが、一組の遮蔽板が水平に掛け渡されるように構成されてもよい。なお、他の構成例の上面遮蔽部材において、説明の便宜上、上述した上面遮蔽部材と同一の構成部分には、上面遮蔽部材と同一の符号を付して説明を省略する。図２６及び図２７に、第３の実施形態における上面遮蔽部材の他の構成例を説明するための模式図を示す。
【００９９】
図２６（ａ）に示すように、他の構成例の上面遮蔽部材４５が有する一組の遮蔽板４５ａ、４５ｂの各々は、重ね合わされる上板４６ａ及び下板４６ｂと、上板４６ａと下板４６ｂを連結する結合部材４７と、を有している。
【０１００】
各上面遮蔽部材４３には、図２６（ｂ）及び図２６（ｃ）に示すように、上板４６ａと下板４６ｂとを重ね合わせた状態で、側端に沿って断面コ字状の結合部材が嵌め込まれ、上板４６ａ及び下板４６ｂと、結合部材４７とが、ボルト及びナットなどの固定部材４８によって固定されている。また、重ねられた上板４６ａ及び下板４６ｂは、複数の固定ネジや接着剤を用いて固定されてもよい。さらに、遮蔽板４５ａ、４５ｂは、主面の中央に取り付けられた固定部材４８によって、上板４６ａと下板４６ｂとが一体に固定されている。
【０１０１】
図２６（ａ）に示すように、一組の遮蔽板４５ａ、４５ｂのうち、一方の遮蔽板４５ａには、上板４６ａに凹部４４ａが形成されており、凹部４４ａの底側に下板４６ｂが重なるように配置されている。他方の遮蔽板４５ｂには、上板４６ａに凸部４４ｂが形成され、凸部４４ｂの基端側に下板４６ｂが重なるように配置されている。
【０１０２】
以上のように構成された上面遮蔽部材４５によれば、一組の遮蔽板４５ａ、４５ｂの凹部４４ａと凸部４４ｂとを係合させた状態で、ラック１２間に掛け渡される。続いて、一組の遮蔽板４５ａ、４５ｂが交差する角度を徐々に広げながら、各遮蔽板４５ａ、４５ｂの切り欠き部２１ａを係合部材２３に徐々に近づけて、切り欠き部２１ａの端に係合部材２３が当たって切り欠き部２１ａが係合部材２３に係合される。
【０１０３】
切り欠き部２１ａと係合部材２３とが係合したときに、一組の遮蔽板４５ａ、４５ｂは水平になって係合される。このとき、遮蔽板４５ｂの凸部４４ｂの先端は、遮蔽板４５ａの凹部４４ａに係合すると共に遮蔽板４５ａの下板４６ｂの上に載せられて支持される。同様に、遮蔽板４３ａの凹部４４ａの先端は、遮蔽板４５ｂの下板４６ｂの上に載せられて支持される。
【０１０４】
このように一組の遮蔽板４５ａ、４５ｂは、一端部が係合部材２３に係合されると共に、他端部が互いに係合され、係合状態が自重で保たれる。これによって、一組の遮蔽板４５ａ、４５ｂは、他端部が互いに係合された状態でラック１２間に取り付けられる。凹部４４ａと凸部４４ｂが互いに係合された一組の遮蔽板４５ａ、４５ｂは、対向空間１７に跨がってラック１２間に水平に掛け渡される。
【０１０５】
上面遮蔽部材４５をラック１２間から取り外すときには、一組の遮蔽板４５ａ、４５ｂの凹部４４ａと凸部４４ｂの係合部分を押し上げることによって、係合部材２３から切り欠き部２１ａが離れるので、切り欠き部２１ａと係合部材２３との係合状態を容易に解除することができる。
【０１０６】
上述した上面遮蔽部材４３によれば、ラック１２に対して上面遮蔽部材４５を着脱するときの操作性を高めることができると共に、互いに係合して自重で係合状態が保たれる一組の遮蔽板４５ａ、４５ｂを、ラック１２間に水平に掛け渡すことが可能になる。
【０１０７】
また、上述した上面遮蔽部材４５の他の構成例として、互いに係合した一組の遮蔽板４５ａ、４５ｂの係合状態が解除されることを防ぐために、凹部４４ａ及び凸部４４ｂに位置規制手段が設けられてもよい。
【０１０８】
図２７（ａ）〜図２７（ｃ）に示すように、位置規制手段の一例として、上面遮蔽部材４３は、凹部４４ａ内に一体に形成された位置規制溝４８ａと、凸部４４ｂに一体に形成された位置規制突起４８ｂと、を更に有している。一組の遮蔽部材は、凹部４４ａと凸部４４ｂが係合されたときに、位置規制溝４８ａと位置規制突起４８ｂが係合されるので、凹部４４ａと凸部４４ｂが水平方向に移動することが規制され、凹部４４ａと凸部４４ｂの係合状態が容易に解除されることを防ぐことができる。このため、上面遮蔽部材４３は、位置規制溝４８ａ及び位置規制突起４８ｂを有することで、振動などに対して、凹部４４ａと凸部４４ｂの係合状態を適正に保つことができる。
【０１０９】
なお、本実施形態では、一組の遮蔽板４５ａ、４５ｂが自重のみで互いに係合されるように構成されたが、図示しないが、遮蔽板４５ａ、４５ｂ同士を係合させるように付勢するばね部材を有する付勢機構を更に利用して係合されるように構成されてもよい。
【０１１０】
（第４の実施形態）
図２８に、第４の実施形態の空調システムの模式図を示す。図２８に示すように、第４の実施形態の空調システムは、第１ラック列１３の前面１２ａ側に対向する位置に、第２ラック列１４の代わりに、空調室の側壁５０が配置されている点が、第１の実施形態と異なっている。
【０１１１】
また、側壁５０には、上仕切り部材２１の端部が載置されるレール状の支持部材５１が固定されている。この支持部材５１は、第１ラック列１３の長手方向に沿って、側壁５０に配置される構成や、各上面遮蔽部材２１に対応する位置に分割されて配置されてもよい。
【０１１２】
そして、支持部材５１は、上面遮蔽部材２１が載置される支持面５１ａを有し、支持面５１ａに、上述した各実施形態における第１ラック列１３と同様に、上面遮蔽部材２１の切り欠き部２１ａが係合される係合部材２３が設けられている。
【０１１３】
本実施形態においても、第１の実施形態と同様に、第１ラック列１３と側壁５０に対して上面遮蔽部材２１を容易に着脱することができる。
【符号の説明】
【０１１４】
１  空調システム
１０  電子機器
１１  空調装置
１２  ラック
１３  第１ラック列
１４  第２ラック列
１７  対向空間
２１  上面遮蔽部材
２１ａ  切り欠き部
２３  係合部材
２４  端部用の上面遮蔽部材
５０  側壁
【図１】
0005902659.tif 000002
【図２】
0005902659.tif 000003
【図３】
0005902659.tif 000004
【図４】
0005902659.tif 000005
【図５】
0005902659.tif 000006
【図６】
0005902659.tif 000007
【図７】
0005902659.tif 000008
【図８】
0005902659.tif 000009
【図９】
0005902659.tif 000010
【図１０】
0005902659.tif 000011
【図１１】
0005902659.tif 000012
【図１２】
0005902659.tif 000013
【図１３】
0005902659.tif 000014
【図１４】
0005902659.tif 000015
【図１５】
0005902659.tif 000016
【図１６】
0005902659.tif 000017
【図１７】
0005902659.tif 000018
【図１８】
0005902659.tif 000019
【図１９】
0005902659.tif 000020
【図２０】
0005902659.tif 000021
【図２１】
0005902659.tif 000022
【図２２】
0005902659.tif 000023
【図２３】
0005902659.tif 000024
【図２４】
0005902659.tif 000025
【図２５】
0005902659.tif 000026
【図２６】
0005902659.tif 000027
【図２７】
0005902659.tif 000028
【図２８】
0005902659.tif 000029